(57)【要約】隠蔽された壁掛型折畳式小便器（１０）は、住居などの建物内の浴室またはトイレの内壁上に装着されるように適合された本体（１２）を有する。トレイ（１４）は、トレイ（１４）が本体部（１２）に当接する第１の待機位置と、トレイ（１４）が小便器（１０）の前に立つ男性から尿を受ける準備が整っている第２の使用の準備が整っている位置との間を移動するために、本体（１２）に枢動可能に取り付けられる。アクチュエータ（７８）は、トレイ（１４）が第１の位置と第２の位置との間をセンサ（１０６，１０８）の出力に応答して枢動するように適合される。センサ（１０６，１０８）が小便器の所定の距離の範囲内に人の存在を検出すると、アクチュエータ（７８）はトレイ（１４）を第１の位置から第２の位置に枢動させる。センサ（１０６，１０８）が小便器の所定の距離の範囲内に人の不在を検出すると、アクチュエータ（７８）はトレイ（１４）を第２の位置から第１の位置に枢動させ、次いで第１の位置では小便器（１０）はスプレーノズル（８０）を通る水で洗浄される。【選択図】図１
2016520743.tif 000002
【特許請求の範囲】
【請求項１】
本体と前記本体に連結されたトレイとを備える折畳式小便器であって、前記トレイは、前記トレイが前記本体に当接し前記折畳式小便器が待機モードである第１の位置と、前記トレイが前記本体位置に傾斜し、前記トレイは使用の準備が整っているモードにあり、前記折畳式小便器の使用者から尿を受けるように適合された第２の位置との間を移動するように適合され、前記本体上に装着され、前記トレイに連結された作動手段は、前記折畳式小便器上または前記折畳式小便器の付近に配置されたセンサ手段からの信号に応答して、前記第１の位置と前記第２の位置との間を前記トレイが移動するように適合されていることと、前記センサ手段は前記折畳式小便器から所定の近距離の範囲内に人の存在を検出するように適合された近距離センサ、および前記折畳式小便器から所定の長距離の範囲内に人の存在を検出するように適合された長距離センサを備えることと、人の検出による前記近距離センサからの信号により、前記作動手段が前記トレイを前記第１の位置から前記第２の位置に移動させ、人の検出による前記長距離センサからの信号により、前記作動手段が前記トレイを前記第２の位置から前記第１の位置に移動させることとを特徴とする、折畳式小便器。
【請求項２】
前記所定の近距離は約１３０ｍｍ以下であり、前記所定の長距離は約５００ｍｍであることを特徴とする、請求項１に記載の折畳式小便器。
【請求項３】
前記近距離センサおよび前記長距離センサは、それぞれ運動センサであることを特徴とする、請求項１または２に記載の折畳式小便器。
【請求項４】
前記近距離センサおよび前記長距離センサは、それぞれ赤外線センサであることを特徴とする、請求項１または２に記載の折畳式小便器。
【請求項５】
前記赤外線センサは、少なくとも１つの赤外線光発信器と、赤外線検出器と、を備えることを特徴とする、請求項４に記載の折畳式小便器。
【請求項６】
前記センサ手段によって出力される信号に応答して、前記作動手段を作動するように適合された制御手段を特徴とする、請求項１〜５のいずれか１項に記載の折畳式小便器。
【請求項７】
前記折畳式小便器の内側を照明するように適合されたライト、および前記折畳式小便器が前記第１の位置にあるときに使用後に前記折畳式小便器を洗浄する洗浄手段であって、前記洗浄手段は洗浄液体のスプレーノズルへの流れを制御する弁を有し、また前記制御手段は前記ライトおよび前記弁の作動を制御するように適合された洗浄手段を特徴とする、請求項６に記載の折畳式小便器。
【請求項８】
前記制御手段は、前記作動手段、検知手段、前記ライトおよび前記洗浄手段が接続される電気回路内のプリント回路基板の形態であることを特徴とする、請求項６または７のいずれか１項に記載の折畳式小便器。
【請求項９】
前記回路はマイクロプロセッサで制御されることを特徴とする、請求項６〜８のいずれか１項に記載の折畳式小便器。
【請求項１０】
前記本体および前記トレイからの出口であって、前記出口は臭気が前記出口を通って前記折畳式小便器の内側に入ることを防止する手段を有し、防止する前記手段は前記出口の周囲の環状封止と協働するように適合された略球形の封止部材を含み、前記封止部材は液体が前記折畳式小便器の前記内側に入ると、前記封止から離れて浮遊するように適合され、したがって前記液体が前記出口を通過することができ、液体の前記流れが停止すると前記封止に戻ることができる、出口を特徴とする、請求項１〜９のいずれか１項に記載の折畳式小便器。
【請求項１１】
前記出口の上に配置されたケージであって、前記ケージにより液体はそれを通過できるが、前記球形封止部材はその壁以外の前記ケージの内側を移動できない、ケージを特徴とする、請求項１０に記載の折畳式小便器。
【発明の詳細な説明】
【技術分野】
【０００１】
本発明は、人の排泄物を受けるための構成に関し、より詳細には小便器に関する。
【背景技術】
【０００２】
男性が使用するための小便器が公知である。小便器は通常、公衆トイレで使用され、多くの異なる形を取る。セラミック、あるいはより一般的な金属素材の一部の小便器は、多くの人を並んで立たせることができる。他の通常古い様式の小便器は類似しているが、若干のプライバシーを提供するために仕切りを有する。多くの現代の公衆トイレは個々の壁掛型小便器を有する。これらの壁掛型小便器の一部は隣接した構成の間にプライバシースクリーンを有し、一部の構成は男児に対応するために壁の低い位置に配置された１以上の小便器を有する。
【０００３】
小便器を住居、ホテルまたはモーテルの浴室に設置することは一般的に行われてこなかった。欧州では、このような多くの浴室は便座式便器およびビデの両方を有するが、小便器はない。家庭またはホテル／モーテルの浴室内に小便器を有することは、女性に非常に受け入れられ、女性は家族の男性または男性の訪問者が便座上に排尿すること、または便座を上げたままにすることについて心配する必要がないと考えられる。しかし、通常は他の浴室の用具に加えて小便器を設置するためにはスペースが不十分であろう。
【０００４】
いくつかの折畳式小便器が先行技術に記載されている。ウェブサイトwww.vintageplumbing.comは、ＴＨＥ  Ｊ．Ｌ．Ｉｒｏｎ  Ｗｏｒｋｓによって製造された「ａｌｌ  ｃｈｉｎａ  ｆｏｌｄｉｎｇ  ｐｅｒｓｏｎａｌ  ｕｒｉｎａｌ（全陶器折畳式個人用小便器）」を説明し示しており、これは１８９５のカタログに載っている。特許日１８７６を有する小便器は、「全陶器」を有し、「全陶器折畳式開口扉は、開くと受容体になり、驚異の蛇口は扉を保持するレバーによって作動する」。Ｍｉｓｔｅｒ  Ｍｉｓｅｒ（商標）の折畳式小便器は、www.treehugger.comおよびwww.hometone.comに載っている。この小便器は、壁空洞内に一部が装着されて見え、垂直に閉じた位置から使用のために傾斜位置に動かすことができる、手動で操作するカバーを有する。
【０００５】
中国特許第２０１９３３５９２号は、壁に埋め込まれた固定型枠体および小便器を備えた便器基部を有する壁埋込型多機能便器を開示している。基部は、垂直に閉じた位置から使用のために水平位置に移動することができる。独国特許第１９９０２９３３号は、壁と同一平面位置から低い水平位置に水盤にヒンジ結合された枢動棒によって移動され得る、壁掛型枢動小便器を示している。壁と同一平面であるときは、水盤は壁掛型フードによって覆われる。独国特許第２０２００５００３３０５号は、壁に対して垂直な位置から使用のために水平位置に手動で移動するスイング軸上にある、壁掛型スイング便器／小便器を開示している。
【発明の概要】
【発明が解決しようとする課題】
【０００６】
家庭用および他の使用に対して最適な折畳式小便器を提供する先行技術の装置はない。例として、Ｍｉｓｔｅｒ  Ｍｉｓｅｒの小便器には、「使用」位置にあるときに、尿が小便器の側面から飛び散るのを防止するものは何もなく、独国特許第２０２００５００３３０５号の小便器は、その小便器が閉じた位置であっても配置される室内に突出する。したがって本発明の目的は改良された折畳式小便器を提供することである。
【課題を解決するための手段】
【０００７】
本発明は、本体と該本体に連結されたトレイとを備える折畳式小便器を提供し、該トレイは、該トレイが該本体に当接し、該折畳式小便器が待機モードである、第１の位置と、該トレイが該本体に傾斜し、該トレイが使用の準備が整っているモードにあり、該折畳式小便器の使用者から尿を受けるように適合された第２の位置との間を移動するように適合され、該本体上に装着され、該トレイに連結された作動手段は、該第１の位置と該第２の位置との間を該トレイが移動するように適合されていることを特徴とする。
【０００８】
本発明の実施形態を添付の図面を参照して以下に詳細に説明する。
【図面の簡単な説明】
【０００９】
【図１】「使用」モードにおける小便器を示す、本発明の一実施形態による折畳式小便器の正面の左からの斜視図である。
【図２】「待機」モードにおける小便器を示す、図１の折畳式小便器の正面の左からの斜視図である。
【図３】図１および２の小便器の本体の正面からの部分分解図である。
【図４】図３の本体の背面からの斜視図である。
【図５】図３および４の本体の背面立面図である。
【図６】図３、４および５の本体の右側の側面立面図である。
【図７】図１および２の折畳式小便器の分解図である。
【図８】「待機」位置におけるトレイを示す、図１および２の折畳式小便器のトレイおよびアクチュエータの側面立面図である。
【図９】「使用」位置におけるトレイを示す、図１および２の折畳式小便器のトレイおよびアクチュエータの側面立面図である。
【図１０】分離された本体およびトレイを示す、図１および２の折畳式小便器の正面の左からの斜視図である。
【図１１】カバーから分離された本体のためのカバーを示す、図１および２の折畳式小便器の正面の左からの斜視図である。
【図１２】カバーから分離されたトレイのためのカバーを示す、図１および２の折畳式小便器の正面の左からの斜視図である。
【図１３】図１および２の折畳式小便器の本体に対する出口配置の一形態を通る断面を示す図である。
【図１４】図１〜１２の折畳式小便器の自動操作を示す流れ図である。
【発明を実施するための形態】
【００１０】
ここで図面を参照すると、本発明の一実施形態による折畳式小便器１０が示されている。小便器１０は本体１２、および本体１２に枢動可能に取り付けられたトレイ１４を備える。小便器１０は、壁（図示せず）上に装着される、または壁内に一部が装着されるように適合され、壁は好ましくは住居などの建物、浴室またはトイレ内の内壁である。小便器１０は、好ましくは小便器１０が実質的に隠蔽されるように、壁の空洞（図示せず）の中に完全にまたは一部が入り込んでもよい。壁空洞の変形が使用される場合、空洞の深さは好ましくは約７０ｍｍ〜７５ｍｍである。折畳式小便器１０の壁への取付は、折畳式小便器１０が修理のために壁から容易に取り外すことができるようなものである。
【００１１】
本体１２は、使用者により、および／または洗浄により小便器１０の中に導入される液体のための出口１８を配置された基部１６（図７）、後壁２０、および側壁２２，２４を備える。また前板２６もあり、前板２６は基部１６ならびに後壁２０および側壁２２，２４の下部を備え、その中に前記の液体が直接流れてもよい、かつ／またはトレイ１４から流れてもよい開放チャンバ２８を画定する。
【００１２】
トレイ１４は平面基部３０および略Ｕ字形断面を有する湾曲上面３２を有し、その形状は表面３２の中点から湾曲する２つの側壁３４，３６によって形成され、また側壁３４，３６はトレイ１４の正面からその背部に上昇する。トレイ１４は、図２の「待機」位置と図１の「使用」位置との間に移動を制限するために、ヒンジ３８，４０により本体１２に枢動可能に取り付けられる。ヒンジ３８，４０は、図面の図７に関連して前段落に説明された形を取ってもよい。
【００１３】
トレイ１４は、トレイ１４の主部５４に個別に形成された基部３０を備えて、図７に示されたように構成されてもよい。この変形形態では、軸４２は細長いＨ字形部材５６の一部であってもよく、部材５６は主部５８によって形成され、主部５８の両端は軸４２を形成し、軸４２は組み立てられたトレイ１４では、本体５４内の開口部４４を通って突出する。部材５６は、好ましくは一緒に溶接されたステンレス鋼ロッドから形成され、本体部５４の裏側のリブ６４，６６上の凹部６０，６２内に配置されるように適合される。次いで基部３０は、好ましくは主トレイ体５４と基部３０との間の「挟持」部材５６によって本体５４に固定される。好ましくは本体５４および基部３０は、プラスチック材料から形成され、本体５４および基部３０は「挟持」工程において一緒に熱溶接される。
【００１４】
図１および図７に見られるように、壁３４，３６の外側は弓形スロット７０，７２を設けられ、スロット７０，７２は本体１２の壁２２，２４の内側表面上の突起（突起の１つのみがこれらの図において７４と示されている）と係合するように適合される。突起７４はゴムから作成されてもよい。スロット７０，７２と突起７４との間の協働により、本体１２に対してトレイ１４の枢動を誘導し限定する。
【００１５】
また部材５６は連結要素７６を有し、連結要素７６は主部５８の一端の付近に配置され、主部５８の一端で軸４２に略直角に延在する。連結要素７６はアクチュエータ７８（図１、３、４、５、６および７）、好ましくは電動アクチュエータに連結されるように意図され、アクチュエータ７８はトレイが「待機」位置と「使用」位置との間を移動するように適合される。図８は「待機」位置を示し、図９は「使用」位置または「使用の準備が整っている」位置を示す。
【００１６】
折畳式小便器１０はノズル等８０の形の洗浄機構を有し、ノズル８０はチャンバ２８の上の本体１２上に配置される（図４、５および６）。ノズル８０は、水などの洗浄液体の供給のためにアダプタまたはコネクタ８２に連結される。スプレーノズル８０への液体の流れは弁（図示せず）によって制御され、弁は、好ましくは折畳式小便器１０の自動システムの一部として作動するソレノイド作動弁である。下部設計の成形形状領域２１は、トレイ１４が閉じた位置にあるときに、水がトレイ１４の側面３４，３６から逃れてスプレーノズル８０から出るのを防止する。この説明で後に説明するように、弁は小便器が（所定の時間）開いているときに閉じ、折畳式小便器１０の作動を制御する一連のシステムの間は閉じている。
【００１７】
尿を受ける基部１６内の出口１８は、小便器１０のチャンバ２８内に受領した尿を最終的に処理するために下水道または同等のシステム（図示せず）の中に排出するように適合される。出口１８は、このようなシステムに当業者には公知の従来の手法で配管されてもよい。
【００１８】
出口１８の一形態が図１３に示されている。折畳式小便器１０の本体１２の基部１６内の（好ましくは円形の）開口部８４内に、出口部材８８に連結されることにより、好ましくは２つの要素８６，８８を螺着することにより、基部１６に固定されるように適合された出口管８６が配置される。ガスケット９０は、好ましくは要素８６，８８と基部１６との間に封止を提供する。ケージは出口８６に着脱可能に固定されてもよく、またはその間に一体化されてもよく、液体はそれを通過できるが、より大きい物体の通過を防止する側面９２を有する。この側面（および頂面９４も液体の通過を可能にするが固体は通過できない）は、穿孔または何らかの網などのあらゆる適切な形を取ってもよい。
【００１９】
ケージ９２内には、臭気が折畳式小便器１０に入ること、また折畳式小便器１０が配置された部屋に拡大して考えると、下水道に繋がる管に入ること、図１３の矢印の方向に入ることを防止するための機構９６がある。ピンポン玉の重量と同様の略球形のボール９８が、出口管８６の制限された直径部上に配置された封止１００上を封止するように適合される。この位置では、ボール９８および好ましくはＯリングの形であってもよい封止１００の組合せにより、前述の臭気が管８６を通過しチャンバ２８、本体１２および折畳式小便器１０に入るのを防止する。しかし液体がチャンバ２８に入りケージ９２を通過するとき、液体はボール９８を持ち上げることにより、液体はボール９８と封止１００との間を通って管８６に入ることができる。
【００２０】
筐体１０２（図４および５）は、小便器１０の本体１２の背面上にノズル８２の付近に配置される。筐体１０２は、クリップまたはネジによって取り付けられたカバー板４６を有し、折畳式小便器１０のための作動システムの様々な要素を作動するプリント回路基板を含み、その要素は、本体１２の頂部に配置され、折畳式小便器１０の内部を照らすように適合されたライト１０４、近距離センサ１０６および長距離センサ１０８を備えてよい。近距離センサ１０６および長距離センサ１０８は可視であり、本体１２（図１、２、３および７）の正面上部で作動する。好ましくは柔らかい光を生成するライト１０４の作動およびセンサの作動は、本明細書で後述する。アクチュエータ７８、洗浄水弁、および折畳式小便器１０を作動するシステムのあらゆる他の態様は、筐体１０２内のプリント回路基板（ＰＣＢ）内に接続され、筐体１０２はその中に収納されたセンサ１０６，１０８を含み、筐体１０２はまた回路および折畳式小便器１０システムの最適な作動のためにマイクロプロセッサなどを備えてよい。
【００２１】
図１１は、本体１２、および折畳式小便器１０に外観の良さを提供し、実用的な目的の働きをし、さほど美観に優れていない本体１２のあらゆる要素を覆うために本体１２に固定されることが望ましいカバー１１０を示す。カバー１１０は開口部１１２を有し、カバーが本体１２に取り付けられると、近距離センサ１０６および長距離センサ１０８が作動できるために、開口部１１２は近距離センサ１０６および長距離センサ１０８と位置合わせされる。図１２は、トレイ１４、および小便器１０にも外観の良さを提供するためにトレイ１４のためのカバー１１４を示す。好ましくは本体１２およびトレイ１４はプラスチック材料から形成され、カバー１１０，１１４は美観に優れた艶出し仕上げの高品質のプラスチック材料から、またはブラシ、研磨およびパターン仕上げなどのクロムもしくはステンレス鋼から形成されてもよい。カバー１１０，１１４がプラスチック材料から形成される場合、カバー１１０，１１４は本体１２およびトレイ１４のそれぞれに熱溶接されることが望ましい。
【００２２】
折畳式小便器１０は以下の手法で作動するようにプログラミングされてもよく、その手法は本発明の好ましい実施形態による折畳式小便器１０の一連の作動を説明する。この説明に関連して、用語「アクチュエータの過負荷」とは、アクチュエータがトレイ１４を「使用の準備が整っている」もしくは「使用」位置に完全に開くことができない、またはトレイ１４を「待機」位置に完全に閉じることができないことが検出された状況として定義される。これはトレイ１４が完全に開くまたは完全に閉じることを阻む何らかの障害によることがある。
【００２３】
待機モードでは、トレイ１４は「使用されない」位置にあり、閉じており本体１２と同一平面にある。誰かが近距離センサ１０６の所定の範囲内（好ましくは手または人体の他の部分が約１３０ｍｍまでの距離に）接近すると、センサはその人物の存在を検出し、その結果ライト１０４にスイッチが入り、トレイ１４が「使用」位置に開く。次いで小便器１０が使用可能になる。この手段は、折畳式小便器１０が暗室で使用でき、小便器を使用するために部屋の照明を点ける必要がないことがあることを理解されたい。別法として、部屋の照明がついている場合にライトにスイッチが入らないようにシステムをプログラミングしてもよい。これは折畳式小便器１０の作動システムのプリント回路基板に結合された光検出手段を必要とする。
【００２４】
男性が小便器１０を使用しようとして、小便器１０に接近し長距離センサ１０８の所定の距離の範囲内に入ると、小便器１０は図１の「使用の準備が整っている」位置になる。次いで男性は開いたチャンバ２８の中に排尿する。重力により、尿はチャンバ２８から本体部１２の基部１６に流れ落ち、出口１８を通って下水道などに出る。
【００２５】
また長距離センサ１０８は所定の検出範囲、好ましくは約５００ｍｍまでの距離）を有する。しかし万一アクチュエータの過負荷がアクチュエータ過負荷検出器によって検出されると、トレイ１４が閉じ、ライト１０４が３回点滅する。これにより小便器１０は待機モードに戻る。過負荷が検出されない場合は、システムは近距離センサ１０６および長距離センサ１０８からのすべての信号を所定の時間、例えば２分間無視する。その時間の後、長距離センサ１０８は照合され、動きが検出されない場合は、トレイ１４は閉じる。動きが長距離センサ１０８によって検出された場合は、システムはさらに所定の時間、例えば１分遅延し、長距離センサ１０８は再度照合される。動きが再度検出された場合、システムは再度所定の時間遅延し、長距離センサ１０８の照合がセンサの範囲内に動きを示されなくなるまでこれを繰り返す。
【００２６】
長距離センサ１０８の検知が何らの動きを示さないときは、トレイ１４は閉じる。アクチュエータの過負荷が検出された場合、トレイ１４は再度即座に閉じ、ライト１０４が３回点滅する。アクチュエータの過負荷が検出されない場合は、ライト１０４は第３の所定の時間、例えば２秒後にスイッチが切られる。次いでシステムはさらなる所定の時間、例えば３秒間待機し、次いでスプレーノズル８０を通る洗浄水の流れを制御するソレノイド作動弁が、別の所定の時間、例えば１０分間作動される。次いで小便器１０は再度待機モードになる。この変動においてセンサ１０６，１０８は有効な運動検出センサであることに留意されたい。
【００２７】
折畳式小便器１０の作動の別法が図７および図１４の流れ図に示されている。この方法は赤外線センサを使用し、これは図７では６８，１０６，１０８を指す。このような赤外線センサは従来の設計からなり、物または人が動くか否かに関わらず、所定の距離の範囲内で折畳式小便器１０の正面における物または人の存在を検出し、その結果プリント回路基板は折畳式小便器１０の「待機」モードから「使用の準備が整っている」モードに変更を始める。２つのセンサ要素１０６，１０８が使用される場合、２つのセンサ要素１０６，１０８は赤外線光発信器であってもよく、赤外線検出器は６８と示されている。これらの発信器１０６，１０８、ならびに受信器６８は、筐体１０２内のＰＣＢに直接連結され、好ましくは筐体１０２と着色された赤外線にふさわしい窓（図示せず）、好ましくはプラスチック材料との間にＯリングなどの封止を備え、各要素１０６，１０８および６８の連結を包囲して要素間の赤外線光の反射を防ぎ、それによって干渉を除去する。この窓は好ましくは赤外線光の通過を可能にすることができる一方、折畳式小便器１０の使用者に着色された外観を示すことが。
【００２８】
赤外線センサは本明細書に先に説明された近距離センサおよび長距離センサの両方の上に物または人の有無を検出するようにプログラミングできる。その作動の一部として、プリント回路基板は、図１４の流れ図に示された一連の作動の一部として、近距離検出と長距離検出との間で変えることができる。
【００２９】
本発明の前述の実施形態は自動操作として説明したが、折畳式小便器１０が手動で操作される、または部分的に手動で操作され、部分的に自動でも操作されることが完全に可能である。トレイ１４は、制御回路の一部である押しボタンを押すことにより手動で開閉されることが可能であり得るが、次いで小便器１０は前に説明されたように作動してもよい。別法として小便器１０は完全に手動で操作されてもよく、手動操作はボタン操作によりトレイ１４を開閉し、ライト１０４のスイッチをオン・オフし、洗浄スプレーノズル８０を作動させる。
【００３０】
好ましくは折畳式小便器１０の正面全体は、クロムのプラッシュ仕上げ、光沢プラスチック材料、またはステンレス鋼仕上げなどを有してもよい。
【００３１】
本発明の折畳式小便器は多くの利点を有することがわかる。折畳式小便器は、小型で浴室またはトイレの場所をほとんど取らない。折畳式小便器は、住居または構成などで他の人を起こさないように静かな洗浄を提供できる。浴室の照明を点ける必要がなく、したがって他の人を起こさない。小便器１０は水を有効利用し、数秒間小さいスプレーノズル８０に使用するだけである。便座上に排尿されることが決してなく、便座が上がったままであることも決してないことは、女性には好ましい。
【００３２】
加えて、洗浄に消費される水は、住居に設置するタイプの従来の座式便器を男性の排尿に使用されるときに使用されるわずかな水のみである。折畳式小便器１０は、トレイ１４が陰嚢の下に接近しているので、排尿の逸脱によりトイレまたは浴室に尿がこぼれる可能性は非常に少ないという点でより衛生的である。また折畳式小便器１０を操作する自動システムのため、男性はファスナーを閉め忘れる可能性がほとんどなくなり、小便器１０または洗浄機構を作動するためにボタンに一切触れる必要がないので、より衛生的である。
【００３３】
本発明の小便器１０は、家庭用浴室、ホテル／モーテルの部屋、客室、航空機、船舶、ボート、および小便器を有し、かつ空間を節約することが望ましいあらゆる他の状況における浴室に適している。
【００３４】
設置される際に、本体１２および小便器１０は略垂直配向を有することが望ましい。
【図１】
2016520743.tif 000003
【図２】
2016520743.tif 000004
【図３】
2016520743.tif 000005
【図４】
2016520743.tif 000006
【図５】
2016520743.tif 000007
【図６】
2016520743.tif 000008
【図７】
2016520743.tif 000009
【図８】
2016520743.tif 000010
【図９】
2016520743.tif 000011
【図１０】
2016520743.tif 000012
【図１１】
2016520743.tif 000013
【図１２】
2016520743.tif 000014
【図１３】
2016520743.tif 000015
【図１４】
2016520743.tif 000016
【国際調査報告】
2016520743.tif 000017
2016520743.tif 000018
2016520743.tif 000019
2016520743.tif 000020
2016520743.tif 000021